(57)【特許請求の範囲】
【請求項１】
文字、記号、数字が印字される印字部が設けられ、その裏面に粘着層を有するテープ本体と、この粘着層を覆う剥離体と、で構成されたテープにおいて、
前記テープ本体及び剥離体の長手方向に直交する幅方向を約３等分する折れ線を設定し、隣り合う折れ線での折り曲げ方向が相互に逆で、かつ前記テープ本体の印字部が露出するように前記テープ本体及び剥離体を折り曲げたことを特徴とするテープ。
【請求項２】
３等分に折り曲げられた前記テープ本体の１つの部分を不透明とし、この不透明の部分に前記印字部を設けたことを特徴とする請求項１に記載のテープ。
【請求項３】
請求項１又は請求項２に記載のテープの印字部に印字する印字ヘッドと、前記印字ヘッドにて印字されたテープを切断するカッターと、前記カッターに対向して配置され、該カッターとの間に前記テープを挟んで切断するバックアップ部材と、前記カッターの方向に向かって突出してバックアップ部材に設けられ、前記カッターによって前記テープのうち最も前記バックアップ部材側の前記剥離体を残して切断させる突起部と、を備えたことを特徴とするテーププリンタ。
【発明の詳細な説明】
【０００１】
【発明の属する技術分野】
本発明は、例えば電線やその他の線材や棒材に巻き付けるものであって識別記号等が印字されたマーカーシールを作るための折り畳みテープ及びその折り畳みテープを格納したテープカセットに関する。
【０００２】
【従来の技術】
このようなマーカーシールは、例えば図５に示すように、透明なテープ本体Ｓの一方の端部に不透明な印字部Ｍが設けられている。また、テープ本体Ｓの裏面には粘着剤が塗布されている。コードＬに対して最初に印字部Ｍを貼り付ける。そして、その他の透明な部分をコードＬに巻き付けると、その透明な部分が印字部Ｍを覆い、印字部Ｍが保護される。
【０００３】
このようなマーカーシールは、例えば図６に示すように、長方形の剥離紙Ｂ上に一定のピッチで整列されており、プリンターに給紙することにより印字部Ｍに所定の数字や記号を印字する。そして、マーカーシールを１枚ずつ剥離紙Ｂからはがして図５に示すようにコードＬに巻き付ける。マーカーシールはその他として図７に示すように長尺の帯状の剥離紙Ｂに一定のピッチで１列に貼り付けた状態で供給される場合がある。この場合にはロールＲとして巻き取られており、外周の端部から引き出され、テーププリンターによって１枚ずつ印字部Ｍに印字されていく。そして、図６に示したマーカーシールと同じく剥離紙Ｂから剥がされ、コードＬに巻き付けられる。
【０００４】
【発明が解決しようとする課題】
図６及び図７に示したマーカーシールは剥離紙Ｂと同じ大きさの塩ビフィルムもしくはＰＥＴ（ポリエチレンテレフタレート）フィルムを張り合わせ、剥離紙Ｂを切断しないように型抜きすることにより製造する。その型抜きの際、不要な部分である抜き殻Ｄは出荷前に除去され、廃棄される。
【０００５】
ところが、この抜き殻Ｄは塩ビやＰＥＴで形成されているので、資源の有効利用という観点から廃棄することは望ましくない。また、マーカーシールの幅寸法は使用用途に応じて複数必要とされる場合があるが、上記図６や図７に示した従来のものでは幅寸法毎にマーカーシールを用意しなければならず、マーカーシールの在庫管理が極めて煩わしいという問題が生じる。また、各マーカーシールの印字部に印字する際、マーカーシールのピッチに印字する間隔を正確に一致させなければ印字部から印字がずれるという問題も生じる。
【０００６】
このような場合に、マーカーシールの長さと同じ幅寸法の長尺のシールを用意し、印字した後必要な幅寸法で長尺のシールの端部から１枚ずつマーカーシールを切断しすればよいが、シールの幅が広いため取り扱いに適さない。
【０００７】
そこで本発明は、上記の問題点に鑑み、これら各不具合を解消したテープ及びプリンタを提供することを課題とする。
【０００８】
【課題を解決するための手段】
上記課題を解決するために本発明によるテープは、文字、記号、数字が印字される印字部が設けられ、その裏面に粘着層を有するテープ本体と、この粘着層を覆う剥離体と、で構成されたテープにおいて、前記テープ本体及び剥離体の長手方向に直交する幅方向を約３等分する折れ線を設定し、隣り合う折れ線での折り曲げ方向が相互に逆で、かつ前記テープ本体の印字部が露出するように前記テープ本体及び剥離体を折り曲げたことを特徴とする。
【０００９】
このようにテープを折り畳んでおけば、必要な長さに切断した後、引き伸ばせば切断された長さが幅寸法になるマーカーシールとして使用することができ、印字がずれることがなく、また抜き殻が生じない。更に、切断する長さは自由に変更することができる。
【００１０】
また、３等分に折り曲げられた前記テープ本体の１つの部分を不透明とし、この不透明の部分に前記印字部を設けた。
【００１１】
更に、本発明によるテーププリンタは、請求項１又は請求項２に記載のテープの印字部に印字する印字ヘッドと、前記印字ヘッドにて印字されたテープを切断するカッターと、前記カッターに対向して配置され、該カッターとの間に前記テープを挟んで切断するバックアップ部材と、前記カッターの方向に向かって突出してバックアップ部材に設けられ、前記カッターによって前記テープのうち最も前記バックアップ部材側の前記剥離体を残して切断させる突起部と、を備えたことを特徴とする。
【００１３】
【発明の実施の形態】
図１を参照して、１は長尺の折り畳みテープである。この折り畳みテープ１は本実施に形態ではＰＥＴからなる厚さ１８μｍのテープ本体２と、剥離体である剥離シート３とから構成されている。テープ本体２の裏面には粘着剤が被着されており、剥離シート３に対してこの粘着剤によって剥離可能な状態で張り付いている。テープ本体２を構成するＰＥＴは透明であるが、テープ本体２の幅の約１／３の部分に不透明な塗料を塗布して印字部２１を設けた。そして、折り畳みテープ１の長手方向に対して平行であって折り畳みテープ１の幅を約３等分する折り線１１・１２を設定し、両折り線の折り曲げ方向が互いに逆になるように、かつ印字部２１が外側に露出するように折り曲げた。
【００１４】
この折り畳みテープ１は上述のように長尺であるため、印字部２１に印字する際、印字しやすいように図２に示すようにテープカセット４内に内蔵させた。このテープカセット４は印字装置であるテーププリンタ５に着脱自在に装填されるものである。テープカセット４がテーププリンタ５にセットされ、印字作業が開始されると、折り畳みテープ１はテープカセット４から連続して繰り出される。そしてテーププリンタ５の印字ヘッド５１により印字部２１に所定の記号や数字が印字される。なお、印字される文字数や文字の大きさ等の印字内容は自由に設定することができ、その印字内容に合わせて折り畳みテープ１への印字幅も自由に設定することができる。
【００１５】
このように印字部２１に印字されると、印字ヘッド５１の下流に位置するカッター６によって折り畳みテープ１が切断される。図３に示すように、回動軸７１を中心として回転自在であるバックアップ７がカッター６に対向して設けられており、折り畳みテープ１はこのバックアップ７とカッター６に挟まれて切断される。
【００１６】
ただし、バックアップ７の一部には上下１対の突起部７２が設けられている。この突起部７２の突出高さは剥離シート３の厚みとほぼ同じ寸法である。従って、この突起部７２がカッター６に対向している状態では、折り畳みテープ１は完全に切断されず、剥離シート３を残して半切りされる。例えば３回半切りされ、４回目にバックアップ７を回動させて突起７２が設けられていない上下フラットな部分をカッター６に対向させる。そしてカッター６を前進させて、剥離シート３を含めて折り畳みテープ１を完全に切断する。
【００１７】
図４に示すように、このようにして切断された折り畳みテープ１は、折り畳みテープ１の長手方向に対して直角方向に切断された４枚のマーカーシール８になる。このマーカーシール８の印字部８１には印字ヘッド５１により文字や数字が印字されている。一方、剥離シート３は約１／３の部分を切り残して切断線３１により切断され、マーカーシール８の４枚分の剥離シート３がバラバラにならない。
【００１８】
従って、テーププリンタ５から切断させ払い出された折り畳みテープ１から１枚ずつマーカーシール８を剥がし、上記図５に示すように、コードに巻き付ければよい。なお、上記実施に形態では折り畳みテープ１は２本の折り線で折り曲げてＮ字状に折り畳んだが、折り線の数は偶数本であればよく、例えば４本の折り線で折り曲げてもよい。その際、折り曲げ方向は交互に反対になるように折り曲げる。
【００１９】
【発明の効果】
以上の説明から明らかなように、本発明は、長尺のテープをその長手方向に平行な折り線で折り曲げて折り畳んだので、テープカセットに収納しやすく、かつ、端から切断することによりマーカーシールにすることができるので、抜き殻等の無駄な部分が生じない。更に、テーププリンタを用いれば印字と切断とを１台の装置で連続して行うことができるので、印字位置がずれない。また、印字幅を自由に設定し、その印字幅に合わせて切断すると１種類の折り畳みテープで幅寸法の相違する複数種類のマーカーシールを作成することができる。
【図面の簡単な説明】
【図１】本発明の一実施の形態の構成を示す図
【図２】テーププリンタによる印字を説明する図
【図３】折り畳みテープの切断機構を示す図
【図４】切断された折り畳みテープを示す図
【図５】マーカーシールの巻き付け状態を示す図
【図６】従来のマーカーシールの供給状態を示す図
【図７】従来のマーカーシールの供給状態を示す図
【符号の説明】
１  折り畳みテープ
２  テープ本体
３  剥離シート
４  テープカセット
５  テーププリンタ
８  マーカーシール
【図１】
0004994542.tif 000002
【図２】
0004994542.tif 000003
【図３】
0004994542.tif 000004
【図４】
0004994542.tif 000005
【図５】
0004994542.tif 000006
【図６】
0004994542.tif 000007
【図７】
0004994542.tif 000008